(57)【要約】【課題】電池残量が少なくなった場合や基地局エリア外（通話圏外）に居る場合には自動的に電源を切断し、消費電力の削減を図る。【解決手段】電池残量監視部１０２は、一定時間毎に、電池部１０１における電池残量を監視し、電池残量が十分であるか、少ないかの監視結果を制御部１０４に報告する。制御部１０４は、電池残量が少ないときにスイッチ回路部１０５に電源を切断せよという指示を与える。スイッチ回路部１０５は、制御部１０４からの指示に基づいて携帯端末の電源供給のオフを実行する。【選択図】　　　図１
2004048097.tif 000002
【特許請求の範囲】
【請求項１】
電源を供給する電池の電池残量を監視する電池残量監視手段と、前記電池からの電源供給をオン・オフするスイッチ手段と、前記電池残量監視手段の監視結果に基づき前記スイッチ手段のオン・オフ動作を制御する制御手段と、を具備することを特徴とする携帯端末。
【請求項２】
前記電池の電池残量を算出し、予め定められた残量閾値未満であるときその旨を出力する電池残量算出手段、を具備し、前記電池残量監視手段は、前記電池残量算出手段から残量閾値未満である旨の通知を受けて前記制御手段に電源を落とす指示を出力することを特徴とする請求項１記載の携帯端末。
【請求項３】
電池からの電源供給をオン・オフするスイッチ手段と、通話可能圏内であるか否か判定する通話可能判定手段と、前記通話可能判定手段の判定結果が、通話可能圏内であるときは前記スイッチ手段にオン動作を行わせ、通話可能圏外であるときは前記スイッチ手段にオフ動作を行わせる制御手段と、を具備することを特徴とする携帯端末。
【請求項４】
前記通話可能判定手段は、通話可能圏外であることが予め定められた圏外時間継続するときに、前記通話可能圏外である旨の信号を前記制御手段に出力することを特徴とする請求項３記載の携帯端末。
【請求項５】
前記スイッチ手段が電源オフを実行するのに応答して音を発生する発音手段、を具備することを特徴とする請求項１から請求項４のいずれかに記載の携帯端末。
【請求項６】
前記スイッチ手段が電源オフを実行するのに応答して振動するバイブレータ、を具備することを特徴とする請求項１から請求項５のいずれかに記載の携帯端末。
【発明の詳細な説明】
【０００１】
【発明の属する技術分野】
本発明は、携帯端末に関し、特に消費電力を削減し、通話時間の拡大を図る携帯端末に関する。
【０００２】
【従来の技術】
従来、携帯端末の消費電力削減方法として、例えば、特開平７−３０３０７５号公報（移動体通信システム）に記載されたものが知られている。この公報では、電池残量が所定値以下になるとプレス・ツー・トークモードになり、その旨を使用者に通知し、送信ボタンが押された送話時以外には送信を行わないように制御する技術が開示されている。これによって、電池残量が所定値以下になった場合には、送信する必要があるときのみ送信動作することで消費電力の削減が図られ、通話時間を延長することが可能となる。
【０００３】
【発明が解決しようとする課題】
しかしながら、携帯端末を使用する実際の現場では、さらなる消費電力の低減が望まれている。具体的には、自動的に携帯端末の電源を落とす措置が望まれている。
【０００４】
例えば、充電あるいは電池交換が行えない環境において電池残量が少なくなった場合には、必要最低限の通話のための電池容量を残すことを望む場合がある。また、電池残量が少ない状態で、通話また連絡待ちをする場合では、連絡待ちするまでに電池がもつか分からない、鞄等にいれていると知らない間に電池切れになってしまう可能性がある、発信時途中で電池切れになる可能性がある、などを常に気にしながら使用しなければいけなかった。これらの場合には、電池残量が少なくなると、自動的に携帯端末の電源を落とす措置が必要である。
【０００５】
さらに、基地局エリア外（通話圏外）では、無駄な電力消費を避けるために、電源を落とすことを望む場合がある。加えて、使用者に電源が落ちたことを知らせることができれば、非常に好都合である。
【０００６】
本発明は、かかる点に鑑みてなされたものであり、電池残量が少なくなった場合や基地局エリア外（通話圏外）に居る場合には自動的に電源を切断することで電力の消費を抑えることができる携帯端末を提供することを目的とする。
【０００７】
【課題を解決するための手段】
本発明の携帯端末は、電源を供給する電池の電池残量を監視する電池残量監視手段と、前記電池からの電源供給をオン・オフするスイッチ手段と、前記電池残量監視手段の監視結果に基づき前記スイッチ手段のオン・オフ動作を制御する制御手段と、を具備する構成を採る。
【０００８】
この構成によれば、電池残量に応じて自動的に携帯端末の電源を落とすことが可能となるので、全ての機能動作をストップさせ、通話必要時に最低限度の電源を残すことが可能となる。
【０００９】
また、本発明の携帯端末は、上記の発明において、前記電池の電池残量を算出し、予め定められた残量閾値未満であるときその旨を出力する電池残量算出手段、を具備し、前記電池残量監視手段は、前記電池残量算出手段から残量閾値未満である旨の通知を受けて前記制御手段に電源を落とす指示を出力するという構成を採る。
【００１０】
この構成によれば、使用者が必要に応じて、電池残量閾値を定めることが可能となり、予め設定した電池残量閾値未満となった場合、携帯端末の電源が落ち、通話必要時、状況に応じた電力を残すことが可能となる。
【００１１】
また、本発明の携帯端末は、電池からの電源供給をオン・オフするスイッチ手段と、通話可能圏内であるか否かを判定する通話可能判定手段と、前記通話可能判定手段の判定結果が、通話可能圏内であるときは前記スイッチ手段にオン動作を行わせ、通話可能圏外であるときは前記スイッチ手段にオフ動作を行わせる制御手段と、を具備する構成を採る。
【００１２】
この構成によれば、通話圏外となった場合、全ての機能動作をストップさせ、通話必要時に最低限度の電源を残すことが可能である。
【００１３】
また、本発明の携帯端末は、上記の発明において、前記通話可能判定手段は、通話可能圏外であることが予め定められた圏外時間継続するときに、前記通話可能圏外である旨の信号を前記制御手段に出力するという構成を採る。
【００１４】
この構成によれば、使用者が必要に応じて、圏外状態の閾値時間を定めることが可能となり、予め設定した一定時間だけ通話圏外となった場合、携帯端末の電源が落ち、状況に応じた電源を残すことが可能となる。
【００１５】
また、本発明の携帯端末は、上記の発明において、前記スイッチ手段が電源オフを実行するのに応答して音を発生する発音手段、を具備する構成を採る。
【００１６】
この構成によれば、携帯端末の電源が落ちるときに音が発生するので、聴覚的に捉えることができる。したがって、例えば、鞄等に入れている場合に、知らない間に電源が切断されるといったことを防ぐことができ、たった今電源が切断されたというこということが認識できる。
【００１７】
また、本発明の携帯端末は、上記の発明において、前記スイッチ手段が電源オフを実行するのに応答して振動するバイブレータ、を具備する構成を採る。
【００１８】
この構成によれば、携帯端末の電源が落ちるときに、バイブレータが作動し振動が発生するので、感覚的に捉えることができる。したがって、例えば、映画館等のマナーが問われるような現場で音を発して欲しくない場合において有効である。
【００１９】
【発明の実施の形態】
本発明の骨子は、電池残量が少なくなった場合や基地局エリア外（通話圏外）に居る場合などでは自動的に電源の切断が行えるようにすることである。
【００２０】
以下、本発明の実施の形態について、図面を参照して詳細に説明する。
【００２１】
（実施の形態１）
図１は、本発明の実施の形態１に係る携帯端末の構成を示すブロック図である。図１において、本実施の形態１に係る携帯端末は、電池部１０１と、電池残量監視部１０２と、電池残量算出部１０３と、制御部１０４と、スイッチ回路部１０５、電池残量設定テーブル１０６とを備えている。
【００２２】
電池部１０１は、当該携帯端末に電源を供給する電池を備えている。
【００２３】
電池残量監視部１０２は、一定時間毎に、電池部１０１における電池残量を監視し、電池残量が十分であるか、少ないかの監視結果を制御部１０４に報告している。このとき、電池残量算出部１０３が存在する場合には、電池残量監視部１０２は、一定時間毎に、電池残量算出部１０３から算出結果を取り込み、電池残量が少ないとの算出結果であるとき、それを監視結果として制御部１０４に報告している。電池残量監視部１０２における監視処理は、例えば、ＣＰＵ、ＤＳＰなどの割込み信号毎に行われる。
【００２４】
図２は、電池部１０１における全電池容量の概略図である。図２に示すように全電池容量は、規定値２１０毎に区分され、ある規定値２１０と隣の規定値２１０との境目には、残量判断値ｖ３，ｖ２，ｖ１・・（ｖ３＜ｖ２＜ｖ１・・）が示されている。
【００２５】
電池残量算出部１０３は、図２において、電池部１０１の電池残量Ｖが左側の規定値２１０内に位置するときは、規定値未満として電池残量監視部１０２に対して電池残量が少ないという信号を与える。
【００２６】
電池残量設定テーブル１０６は、電池残量算出部１０３が規定値未満か否かの判断を行う際に用いるテーブルである。電池残量設定テーブル１０６は、例えば図３に示すように構成されている。
【００２７】
図３に示す電池残量設定テーブル１０６は、フォーマットパターンの欄１６１と電池残量の欄１６２とで構成されている。フォーマットパターンの欄１６１には、１，２，３，・・と一連の番号が記入されている。電池残量の欄１６２には、フォーマットパターンの欄における番号毎に、規定値未満か否かの判断条件が記入されている。
【００２８】
図３では、フォーマットパターン番号１での判断条件は、Ｖ＜ｖ１である。フォーマットパターン番号２での判断条件は、Ｖ＜ｖ２である。フォーマットパターン番号３での判断条件は、Ｖ＜ｖ３であることが示されている。このように、フォーマットパターン番号を指定することにより、判断条件が任意に選択できるようになっている。
【００２９】
制御部１０４は、電池残量監視部１０２から、電池残量が少ないとの信号が入力されると、スイッチ回路部１０５に対して電源供給をオフさせる指示を出す。
【００３０】
スイッチ回路部１０５は、電源供給をオフさせる指示に従い電池部１０１から各部への電源供給を遮断する。
【００３１】
次に、以上のように構成される本実施の形態１に係る携帯端末における消費電力削減動作について、図４のフロー図を参照して説明する。
【００３２】
ステップＳＴ４０１において、電池残量監視部１０２は、一定時間ごとに電池部１０１における電池残量を監視する。次いで、ステップＳＴ４０２において、電池残量算出部１０３は、電池部１０１における電池残量Ｖを算出する。
【００３３】
そして、ステップＳＴ４０３において、電池残量算出部１０３は、電池残量設定テーブル１０６（図３）を参照し、全電池容量に対して電池残量が規定値未満か否かを判断する。ここでは、電池残量設定テーブル１０６（図３）でのフォーマットパターン番号２における判断条件Ｖ＜ｖ２で判断するとしている。
【００３４】
電池残量算出部１０３は、判断結果、全電池容量に対して電池残量が規定値未満（ステップＳＴ４０３：Ｙｅｓ）であれば、ステップＳＴ４０４において、電池残量監視部１０２に対して電池残量が少ないという信号を与える。一方、規定値以上（ステップＳＴ４０３：Ｎｏ）であれば、電池残量監視部１０２に対して信号を与えないでそのまま処理を終了する。
【００３５】
次いで、ステップＳＴ４０５において、電池残量監視部１０２は、制御部１０４に対して、電池残量が少ないという信号を与える。これを受けて、制御部１０４は、次のステップＳＴ４０６において、スイッチ回路部１０５に対して携帯端末の電源を落とせという指示を出す。
【００３６】
このように、本実施の形態１に係る携帯端末によれば、電池残量監視部１０２が電池部１０１の電池残量状態を常に把握する機能を持つことで、電池残量が少なくなると携帯端末の電源を自動的に落とすことが可能となり、消費電力を削減し、通話必要時に最低限度の電源を残すことが可能となる。
【００３７】
また、電池部の電池残量を算出する電池残量算出部を備えることで、使用者が任意に電池残量閾値を定めることが可能となるので、予め指定した電池残量となった場合、携帯端末の電源が落ち、通話必要時や状況に応じた電源を残すことが可能となる。
【００３８】
（実施の形態２）
図５は、本発明の実施の形態２に係る携帯端末の構成を示すブロック図である。図５において、本実施の形態２に係る携帯端末は、制御部５０１と、スイッチ回路部５０２と、通話可能判定部５０３と、通話可能制御部５０４と、発音手段としてのスピーカー部５０５と、バイブレータ部５０６と、圏外設定テーブル５０７とを備えている。
【００３９】
通話可能判定部５０３は、一定時間ごとに通話可能（圏内）か否かを判定している。例えば、ＣＰＵ、ＤＳＰなどの割込み信号毎に判定処理をする。
【００４０】
圏外設定テーブル５０７は、通話可能判定部５０３が一定時間毎に通話可能か否かに判定する際に用いるテーブルである。圏外設定テーブル５０７は、例えば図６に示すように構成されている。
【００４１】
図６に示す圏外設定テーブル５０７は、フォーマットパターンの欄５７１と圏外時間の欄５７２とで構成されている。フォーマットパターンの欄５７１には、１，２，３，・・と一連の番号が記入されている。圏外時間の欄５７２には、フォーマットパターンの欄における番号毎に、圏外時間Ｔが規定時間以上か否かの判断条件が記入されている。
【００４２】
図６では、フォーマットパターン番号１での判断条件は、Ｔ＞ｔ１である。フォーマットパターン番号２での判断条件は、Ｔ＞ｔ２である。フォーマットパターン番号３での判断条件は、Ｔ＞ｔ３であることが示されている。このように、フォーマットパターン番号を指定することにより、判定条件が任意に選択できるようになっている。
【００４３】
ここで、圏外時間Ｔは、通話圏外となった時点から通話可能圏内となるまでの時間である。ＣＰＵの割込み毎に、圏外時間Ｔの計測値をインクリメントしていく。通話可能圏内となったら、圏外時間Ｔの計測値はリセットされる。
【００４４】
通話可能判定部５０３は、一定時間通話不可能（圏外）と判断すると、その旨を通話可能制御部５０４に伝える。
【００４５】
通話可能制御部５０４は、通知を受けて制御部５０１に対して電源を切断せよという信号を与える。そうでないならば信号は与えない。スイッチ回路部５０２は、制御部５０１からの指示に従って電源を切断する。
【００４６】
スピーカー部５０５は、スイッチ回路部５０２の電源切断動作に応答して音を発生し、使用者に電源が落ちた旨を聴覚的に伝える。また、バイブレータ部５０６は、スイッチ回路部５０２の電源切断動作に応答して振動し、使用者に電源が落ちた旨を感覚的に伝える。
【００４７】
次に、以上のように構成される本実施の形態２に係る携帯端末における消費電力削減動作について、図７のフロー図を参照して説明する。
【００４８】
ステップＳＴ７０１において、通話可能判定部５０３は、一定時間ごとに通話可能か否かを判定する。次いで、ステップＳＴ７０２において、通話可能判定部５０３は、一定時間、通話不可能（圏外）であるか判断する。ここでは、圏外設定テーブル５０７（図６）でのフォーマットパターン番号２における判定条件Ｔ＞ｔ２で判断するとしている。
【００４９】
通話可能判定部５０３が一定時間通話不可能と判断する場合は（ステップＳＴ７０２：Ｙｅｓ）、ステップＳＴ７０３において、通話可能制御部５０４が制御部５０１に対して電源を切断せよという信号を与える。一方、一定時間通話不可能と判断しない場合は（ステップＳＴ７０２：Ｎｏ）、制御部５０１に対して信号を与えないでそのまま処理を終了する。
【００５０】
制御部５０１は、ステップＳＴ７０４において、スイッチ回路部５０２に対して携帯端末の電源を切断せよと指示を出す。スイッチ回路部５０２は、制御部５０１からの指示に従い電源を落とす。
【００５１】
次いで、ステップＳＴ７０５において、スピーカー部５０５は、スイッチ回路部５０２が電源を落とす際の信号を受けて、音を発生し、使用者に電源が落ちた旨を聴覚的に伝える。
【００５２】
次いで、ステップＳＴ７０６において、バイブレータ部５０６は、スイッチ回路部５０２が電源を落とす際の信号を受けて、バイブレータ機能を作動し、使用者に電源が落ちた旨を感覚的に伝える。
【００５３】
このように、本実施の形態２に係る携帯端末によれば、通話可能判定部５０３を備えることで、通話不可能（圏外）と判定する圏外時間の閾値を使用者が任意に設定できるので、通話不可能（圏外）となる時間が予め定めた時間継続すると、自動的に電源が落ち、消費電力が削減され、状況に応じた電源を残すことができる。
【００５４】
また、電源が落ちる場合には、スピーカーやバイブレータを作動させることで、聴覚的、感覚的にも認識することができる。スピーカを用いる場合には、鞄等に入れているときに、知らない間に電源が切断されるといったことを防ぐことができ、たった今電源が切断されたということが認識できる。また、バイブレータを用いる場合には、映画館等のマナーが問われるような現場で音を発して欲しくない場合において有効である。
【００５５】
なお、実施の形態１においても、実施の形態２と同様に、スピーカー部やバイブレータ部を備えることができることは言うまでもない。スピーカー部とバイブレータ部は、双方を常備して使い分けてもよいが、少なくとも一方を備えることでもよい。
【００５６】
【発明の効果】
以上説明したように、本発明によれば、電池残量に応じて自動的に電源を落とすことができ、消費電力が削減される。また、通話圏外時に、自動的に電源を落とすことができ、無駄な電力消費を防ぐことができる。そして、電源を落とした場合にその旨を使用者に知らせることができる。
【図面の簡単な説明】
【図１】本発明の実施の形態１に係る携帯端末の構成を示すブロック図
【図２】図１に示す電池部における全電池容量の概略図
【図３】図１に示す電池残量設定テーブルの構成例を示す図
【図４】図１に示す携帯端末の消費電力削減動作を説明するフロー図
【図５】本発明の実施の形態２に係る携帯端末の構成を示すブロック図
【図６】図５に示す圏外設定テーブルの構成例を示す図
【図７】図５に示す携帯端末の消費電力削減動作を説明するフロー図
【符号の説明】
１０１　電池部
１０２　電池残量監視部
１０３　電池残量算出部
１０４、５０１　制御部
１０５、５０２　スイッチ回路部
１０６　電池残量設定テーブル
５０３　通話可能判定部
５０４　通話可能制御部
５０５　スピーカー部
５０６　バイブレータ部
５０７　圏外設定テーブル
【図１】
2004048097.tif 000003
【図２】
2004048097.tif 000004
【図３】
2004048097.tif 000005
【図４】
2004048097.tif 000006
【図５】
2004048097.tif 000007
【図６】
2004048097.tif 000008
【図７】
2004048097.tif 000009